(57)【要約】【課題】ケースの意匠変更や設計変更等があっても容易に対応でき、また、サイズの異なる電子機器毎に対して共用することが可能な電子機器の操作表示部取付構造を提供すること。【解決手段】電子機器の外観意匠を形成させるケース１内に収納されたシャーシ２に略凸状の筒状孔からなる係合部５を設け、スイッチ、スイッチボタンやＬＥＤ１１等で構成された操作表示部が実装されたホルダー４に、前後動可能に係合部５と係合される略矩形状のボスからなる被係合部１３を設け、一端がシャーシ２に接続されると共に、他端が開口部６を閉蓋するように、かつ、入り込むように形成された略Ｌ字状の帯板状部材からなるアーム３を設け、被係合部１３にアーム３の他端側と係合されるリブ１４を設けて、ホルダー４をケース１に対して段階的な前後動が可能となるように構成する。【選択図】図１
2008041351.tif 000002
【特許請求の範囲】
【請求項１】
電子機器の外観意匠を形成させるケースに操作可能に配設され、または、そのケース外側から視認可能に配設される操作表示部の取付構造であって、
前記ケース内に収納され係合部が設けられたシャーシと、
前記係合部に前後動可能に係合された被係合部が設けられると共に前記操作表示部が実装されたホルダーと
を備えたことを特徴とする電子機器の操作表示部取付構造。
【請求項２】
前記係合部は、前記シャーシに形成された筒状孔であり、前記被係合部は、前記ホルダーに形成され前記筒状孔に挿嵌可能なボスであることを特徴とする請求項１記載の電子機器の操作表示部取付構造。
【請求項３】
前記筒状孔の中途部に形成され、その筒状孔内と連通される開口部と、
一端が前記シャーシから突設されると共に他端が前記開口部を介して筒状孔内に突出するように形成され、前記筒状孔と直交方向に弾性変形可能なアームと、
前記アームの他端と掛止可能に前記ボスに突設された複数のリブと
を備えてなることを特徴とする請求項２記載の電子機器の操作表示部取付構造。
【発明の詳細な説明】
【技術分野】
【０００１】
本発明は、例えば、スイッチボタンや、各種情報を点灯によって報知させるＬＥＤ、液晶パネル等、電子機器に配設される操作表示部の取付構造に関する。
【背景技術】
【０００２】
様々な電子機器は、そのケース表面に配設されたスイッチボタンによってスイッチのＯＮ／ＯＦＦを行っているが、そのスイッチの取り付け構造として、例えば、ケースに取り付けられたスイッチボタンと、そのスイッチボタンと係合するようにプリント回路基板上に取り付けられたスイッチとを備えて構成し、スイッチボタンを操作することでスイッチがＯＮ／ＯＦＦするようになっている（例えば特許文献１参照）。
【特許文献１】特開平１０−１５４４２８号公報（第１頁、図１）
【発明の開示】
【発明が解決しようとする課題】
【０００３】
しかしながら、上記したスイッチ取付構造は下記のような問題点を有する。
まず、上記したスイッチ取付構造は、スイッチボタンを取り付けるケースと、スイッチを取り付けるプリント回路基板との距離が不変であることが前提になっている。したがって、ケースの意匠変更や設計変更等によって、ケースとプリント回路基板との距離が変わってしまう場合、プリント回路基板を延設する等、大幅な変更をしなくてはならなかった。これは、スイッチに限ったことではなく、例えば、各種情報を点灯によって報知させるＬＥＤ（例えばプリント回路基板に実装される）の場合も同じである。
また、上記したスイッチ取付構造は、サイズの異なる電子機器毎に対応させていく必要があり、他の電子機器と共用する構造にはなっていなかった。
【０００４】
そこで本発明は、このような状況に鑑みてなされたものであり、上記問題点を解決できる電子機器の操作表示部取付構造を提供することを目的とする。
【課題を解決するための手段】
【０００５】
上記技術課題を達成するために、本発明にかかる電子機器の操作表示部取付構造は、下記の技術的手段を講じた。
すなわち、本発明にかかる電子機器の操作表示部取付構造は、電子機器の外観意匠を形成させるケースに操作可能に配設され、または、そのケース外側から視認可能に配設される操作表示部の取付構造であって、前記ケース内に収納され係合部が設けられたシャーシと、前記係合部に前後動可能に係合された被係合部が設けられると共に前記操作表示部が実装されたホルダーとを備えたことを特徴とする。
また、本発明にかかる電子機器の操作表示部取付構造は、前記発明において、前記係合部は、前記シャーシに形成された筒状孔であり、前記被係合部は、前記ホルダーに形成され前記筒状孔に挿嵌可能なボスであることを特徴とする。
また、本発明にかかる電子機器の操作表示部取付構造は、前記発明において、前記筒状孔の中途部に形成され、その筒状孔内と連通される開口部と、一端が前記シャーシから突設されると共に他端が前記開口部を介して筒状孔内に突出するように形成され、前記筒状孔と直交方向に弾性変形可能なアームと、前記アームの他端と掛止可能に前記ボスに突設された複数のリブとを備えてなることを特徴とする。
【発明の効果】
【０００６】
本発明にかかる電子機器の操作表示部取付構造によれば、電子機器の外観意匠を形成させるケース内に収納されたシャーシに係合部を設け、操作表示部が実装されたホルダーに係合部に前後動可能に係合される被係合部を設けて、ケースに対して操作表示部を前後動可能にしたから、ケースの意匠変更や設計変更等があっても容易に対応できる。また、サイズの異なる電子機器毎に対して共用することが可能となるため、コストの低減を図ることができる。
【発明を実施するための最良の形態】
【０００７】
次に本発明にかかる電子機器の操作表示部取付構造の実施形態について、添付図面を参照しながら説明する。
【０００８】
本実施の形態にかかる電子機器の操作表示部取付構造は、図１に示すように、ケース１と、シャーシ２と、アーム３と、ホルダー４とを備えて構成されている。
【０００９】
ケース１は、電子機器の外観意匠を形成させる箱体状に形成されており、所要形状に成形された金属板や樹脂材で構成されており、所要の位置に、後述する操作表示部が位置するようになっている。この操作表示部は、スイッチ１７、スイッチボタン１０、ＬＥＤ１１等で構成されており、スイッチボタン１０がケース１外面から突出されるように所要位置に突出用孔が設けられている（図示せず）。また、ＬＥＤ１１に対応した位置（ケース１の）を半透明部材や透明部材としてＬＥＤ１１の発光が透過されるようになっている。なお、ＬＥＤ１１もケース１外面から突出されるように所要位置に突出用孔を設けても良い。
【００１０】
シャーシ２は、ケース１内に配設され、電子機器の各動作を実現させる配線基板や各機構部などを支持させるもので、電子機器に応じて所要の形状に形成されると共に、図２に示すように、所要位置に略凸状の筒状孔からなる係合部５がシャーシ２内方に向かって延設されている。また、筒状孔からなる係合部５を形成させる凸側側壁の中途部には、係合部５の延設方向と直交方向（横方向）に延びるスリット状の開口部６が形成されており、筒状孔内と連通されている。
【００１１】
アーム３は、一端がシャーシ２に接続されると共に、他端が開口部６を閉蓋するように形成された略Ｌ字状の帯板状部材からなると共に、その開口部６を閉蓋するように延設される他端側の形状が、開口部６側側面の上部が横方向に突出するような略Ｌ字状に形成されている。なお、本実施の形態では、他端側の形状が略Ｌ字状にしたものを例示しているが、単なる矩形状にしても良い。
【００１２】
このように形成されたアーム３は、図１に示すように、定常時、その突出した上部が筒状孔内に入り込んでおり、図４に示すように、アーム３の他端側を筒状孔と直交方向外方に向かって押し広げることで、筒状孔内に入り込んだ上部が外方に離間するようになっている。つまり、アーム３の他端側全体がアーム３の一端側を支点として、筒状孔と直交方向外側に弾性変形可能に開くようになっている。
なお、このアーム３は、シャーシ２と一体成形したり、別部材構成としてシャーシ２に止着しても良い。
【００１３】
ホルダー４は、上ホルダー７と下ホルダー８（プリント配線基板）とを備えて構成されている。
【００１４】
上ホルダー７は、断面視略コ字状の帯板状に形成されると共に長手方向の両側面中央部に係止爪９が垂設されており、その表面には、略U字状に切欠されUターン部に押動部が突設されたスイッチボタン１０と、各種情報を報知させるＬＥＤ１１を挿通させる取付孔１２が設けられている。
【００１５】
また、この上ホルダー７の中央部裏面には、上記した略凸状の筒状孔からなる係合部５に上下動スライド可能に挿嵌される略矩形状のボスからなる被係合部１３が垂設されており、この被係合部１３の、アーム３の他端側と対峙する側の側面には、係合部５の凸側側壁に入り込むリブ１４が上下に所要の間隔をおいて３つ並設されてなる。
【００１６】
下ホルダー８（プリント配線基板）は、上ホルダー７より長い帯板状に形成され、その長手方向の中途部には、上ホルダー７の係止爪９が挿通され係止される係止孔１５が設けられ、長手方向の中央部にボスからなる被係合部１３が挿通される矩形孔１６が設けられている。そして、この下ホルダー８には、スイッチボタン１０と対応した位置にスイッチ１７が実装されていると共に、上ホルダー７の取付孔１２と対応した位置に各種情報を報知させるＬＥＤ１１が実装されている。なお、これらスイッチ１７、スイッチボタン１０やＬＥＤ１１等で操作表示部が構成され、ケース１の外側からスイッチボタン１０が操作可能、ケース１の外側からＬＥＤ１１の発光が視認可能になっている。
【００１７】
このように構成されたホルダー４は、上ホルダー７の係止爪９が下ホルダー８の係止孔１５に嵌合されることで一体化されている。このようにして一体化されたホルダー４は、筒状孔からなる係合部５にボスからなる被係合部１３が挿嵌され、かつ、リブ１４底面とアーム３の上部の上面とが係止されるようにアーム３の上部がリブ１４間に入り込むことで、少なくともホルダー４がシャーシ２側に押し込まれないように挿嵌されている。
【００１８】
なお、本実施の形態では、上ホルダー７とボスを一体成形したものを例示しているが、別部材構成して組立による一体化をしても良い。さらに、本実施の形態ではホルダー４を、上ホルダー７と下ホルダー８とで別部材構成としているが、一つの部材で構成しても良い。
【００１９】
以上のように構成された本実施の形態にかかる電子機器の操作表示部取付構造は、電子機器の外観意匠を形成させるケース１内に収納されたシャーシ２に係合部５を設け、一方、操作表示部が実装されたホルダー４に係合部５に前後動可能に係合される被係合部１３を設けて、ケース１に対して操作表示部を前後動可能になっている。
【００２０】
そして、ケース１とシャーシ２との離間距離が長いときは、図１に示すように、３つ並設したリブ１４のうち、下側のリブ１４間にアーム３の他端側が入り込むようにセットする。なお、このセットの仕方は、アーム３の他端側を筒状孔と直交方向外方に向かって押し広げて筒状孔内に入り込んだ上部を外方に離間させ、その状態のまま、ホルダー４を所望の高さとなるように前後動する。そして、ホルダー４が所望の高さになったら、アーム３の他端側の押し広げを止めることで、アーム３の上部がリブ１４間に入り込むことで、少なくともホルダー４がシャーシ２側に押し込まれないように挿嵌する。
【００２１】
仮に、ケース１とシャーシ２との離間距離が短いときは、図４に示すように、３つ並設したリブ１４のうち、上側のリブ１４間にアーム３の他端側が入り込むようにセットする。セットの仕方は上記と同じである。
【００２２】
このように、本実施の形態にかかる電子機器の操作表示部取付構造は、電子機器の外観意匠を形成させるケース１内に収納されたシャーシ２に係合部５を設け、一方、操作表示部が実装されたホルダー４に係合部５に前後動可能に係合される被係合部１３を設けて、ケース１に対して操作表示部を備えたホルダー４を段階的な前後動可能にしたから、ケース１の意匠変更や設計変更等があってシャーシ２とケース１との離間距離が変わっても何ら部品を追加することなく容易に対応できる。また、サイズの異なる電子機器毎に対して共用することが可能となるため、コストの低減を図ることができる。
【００２３】
以上、具体的な実施の形態について説明したが、本発明は上記実施の形態に限定されず、発明の要旨を変更しない範囲で適宜変更して実施できることは言うまでもない。
【００２４】
例えば、本実施の形態では、係合部５の凸側側壁に入り込むリブ１４を、上下に所要の間隔をおいて３つ並設したものを例示したが、４つ、５つ等、所望の段数となるようにリブ１４を設けても良い。
【００２５】
また、本実施の形態では、操作表示部を、スイッチボタン１０や、各種情報を点灯によって報知させるＬＥＤ１１を例示したが、このものに限定されず、接続端子や液晶パネル等、電子機器のケース１面に配設されるものであれば、何れでも良いものである。
【００２６】
また、図５に示したように、下ホルダー８（プリント配線基板）の他に、他の回路が必要な場合（下ホルダー８の面積では回路が納めきれない場合も含む）、基板１８を積層しても良い（積層基板）。この場合、下ホルダー８と予め一体化された積層基板としても良いし、シャーシ２の上面に基板１８を実装しておき、高さ位置が決まった後、接点同士を接続しても良い。
【００２７】
また、本実施の形態ではホルダー４がケース１から露出しないように配設しているが、図６に示すように、ホルダー４がケース１から露出するようにケース１の一部に孔１９を形成しても良い。
【図面の簡単な説明】
【００２８】
【図１】本実施の形態にかかる電子機器の操作表示部取付構造の断面図その１である。
【図２】同、上側から見た斜視図である。
【図３】同、下側から見た斜視図である。
【図４】本実施の形態にかかる電子機器の操作表示部取付構造の断面図その２である。
【図５】本実施の形態の変形例その１を示す側面図である。
【図６】本実施の形態の変形例その２を示す断面図である。
【符号の説明】
【００２９】
１  ケース
２  シャーシ
３  アーム
４  ホルダー
５  係合部
６  開口部
７  上ホルダー
８  下ホルダー
９  係止爪
１０  スイッチボタン
１１  ＬＥＤ
１２  取付孔
１３  被係合部
１４  リブ
１５  係止孔
１６  矩形孔
１７  スイッチ
１８  基板
１９  孔
【図１】
2008041351.tif 000003
【図２】
2008041351.tif 000004
【図３】
2008041351.tif 000005
【図４】
2008041351.tif 000006
【図５】
2008041351.tif 000007
【図６】
2008041351.tif 000008